(57)【要約】【課題】送電線と接地との間に作業用接地線が接続されていることを確実に検出する。【解決手段】送電線への電力の供給が停止されている状態で、前記送電線と接地との間に作業用接地線が接続されているか否かを検出する作業用接地線検出装置であって、電源と、前記送電線と前記電源との間に接続され、前記送電線へ電力が供給されている場合、前記送電線と前記電源とを遮断し、前記送電線への電力の供給が停止されている場合、前記送電線と前記電源とを接続するスイッチと、前記電源と接地との間に接続され、前記送電線と接地との間に前記作業用接地線が接続されている場合、前記送電線と前記電源とが接続されることにより、前記電源、前記スイッチ、前記送電線、前記作業用接地線、接地と回路を形成する継電器と、を備えた。【選択図】図１
2008283765.tif 000002
【特許請求の範囲】
【請求項１】
送電線への電力の供給が停止されている状態で、前記送電線と接地との間に作業用接地線が接続されているか否かを検出する作業用接地線検出装置であって、
電源と、
前記送電線と前記電源との間に接続され、前記送電線へ電力が供給されている場合、前記送電線と前記電源とを遮断し、前記送電線への電力の供給が停止されている場合、前記送電線と前記電源とを接続するスイッチと、
前記電源と接地との間に接続され、前記送電線と接地との間に前記作業用接地線が接続されている場合、前記送電線と前記電源とが接続されることにより、前記電源、前記スイッチ、前記送電線、前記作業用接地線、接地と回路を形成する継電器と、
を備えたことを特徴とする作業用接地線検出装置。
【請求項２】
送電線と接地との間に直列接続される送電線側コンデンサ及び接地側コンデンサを有する電力設備において、前記送電線への電力の供給が停止されている状態で、前記送電線と接地との間に作業用接地線が接続されているか否かを検出する作業用接地線検出装置であって、
前記接地側コンデンサの何れか一方の端子に直列接続され、前記送電線へ電力が供給されている場合、前記送電線と接地との間の電路を接続し、前記送電線への電力の供給が停止されている場合、前記送電線と接地との間の電路を遮断する第１スイッチと、
所定の出力周波数を有する電源と、
前記送電線側コンデンサの非送電線側端子と前記電源との間に接続され、前記送電線へ電力が供給されている場合、前記非送電線側端子と前記電源とを遮断し、前記送電線への電力の供給が停止されている場合、前記非送電線側端子と前記電源とを接続する第２スイッチと、
前記電源と接地との間に接続され、前記送電線と接地との間に前記作業用接地線が接続されている場合、前記非送電線側端子と前記電源とが接続されることにより、前記電源、前記第２スイッチ、前記送電線側コンデンサ、前記送電線、前記作業用接地線、接地と回路を形成する継電器と、
を備えたことを特徴とする作業用接地線検出装置。
【請求項３】
前記送電線の電圧は交流であり、
前記電源の出力周波数は、前記交流電圧の周波数より高い周波数である、
ことを特徴とする請求項２に記載の作業用接地線検出装置。
【請求項４】
送電線と接地との間に直列接続される送電線側コンデンサ及び接地側コンデンサを有する電力設備において、前記送電線への電力の供給が停止されている状態で、前記送電線と接地との間に作業用接地線が接続されているか否かを検出する作業用接地線検出装置であって、
前記作業用接地線と接続され、所定周波数の交流信号を発生する発信機と、
前記送電線側コンデンサの非送電線側端子と接続され、前記送電線への電力の供給が停止され、且つ、前記送電線と接地との間に前記作業用接地線が接続されている場合、前記発信機からの交流信号を前記作業用接地線、前記送電線、前記送電線側コンデンサを経由して受信する受信機と、
を備えたことを特徴とする作業用接地線検出装置。
【請求項５】
送電線への電力の供給が停止されている状態で、前記送電線と接地との間に作業用接地線が接続されているか否かを検出する作業用接地線検出システムであって、
電源と、
前記送電線と前記電源との間に接続され、前記送電線へ電力が供給されている場合、前記送電線と前記電源とを遮断し、前記送電線への電力の供給が停止されている場合、前記送電線と前記電源とを接続するスイッチと、
前記電源と接地との間に接続され、前記送電線と接地との間に前記作業用接地線が接続されている場合、前記送電線と前記電源とが接続されることにより、前記電源、前記スイッチ、前記送電線、前記作業用接地線、接地と回路を形成する継電器と、
前記回路を形成する前記継電器に電流が流れた場合、前記送電線と接地との間に前記作業用接地線が接続されていることを示す信号を送信する送信部と、
前記送信部からの信号を受信する受信部と、
を備えたことを特徴とする作業用接地線検出システム。
【請求項６】
送電線と接地との間に直列接続される送電線側コンデンサ及び接地側コンデンサを有する電力設備において、前記送電線への電力の供給が停止されている状態で、前記送電線と接地との間に作業用接地線が接続されているか否かを検出する作業用接地線検出システムであって、
前記接地側コンデンサの何れか一方の端子に直列接続され、前記送電線へ電力が供給されている場合、前記送電線と接地との間の電路を遮断する第１スイッチと、
所定の出力周波数を有する電源と、
前記送電線側コンデンサの非送電線側端子と前記電源との間に接続され、前記送電線へ電力が供給されている場合、前記非送電線側端子と前記電源とを遮断し、前記送電線への電力の供給が停止されている場合、前記非送電線側端子と前記電源とを接続する第２スイッチと、
前記電源と接地との間に接続され、前記送電線と接地との間に前記作業用接地線が接続されている場合、前記非送電線側端子と前記電源とが接続されることにより、前記電源、前記第２スイッチ、前記送電線側コンデンサ、前記送電線、前記作業用接地線、接地と回路を形成する継電器と、
前記回路を形成する前記継電器に電流が流れた場合、前記送電線と接地との間に前記作業用接地線が接続されていることを示す信号を送信する送信部と、
前記送信部からの信号を受信する受信部と、
を備えたことを特徴とする作業用接地線検出システム。
【請求項７】
送電線と接地との間に直列接続される送電線側コンデンサ及び接地側コンデンサを有する電力設備において、前記送電線への電力の供給が停止されている状態で、前記送電線と接地との間に作業用接地線が接続されているか否かを検出する作業用接地線検出システムであって、
前記作業用接地線と接続され、所定周波数の交流信号を発生する発信機と、
前記送電線側コンデンサの非送電線側端子と接続され、前記送電線への電力の供給が停止され、且つ、前記送電線と接地との間に前記作業用接地線が接続されている場合、前記発信機からの交流信号を前記作業用接地線、前記送電線、前記送電線側コンデンサを経由して受信する受信機と、
前記受信機が前記交流信号を受信した場合、前記送電線と接地との間に前記作業用接地線が接続されていることを示す信号を送信する第１通信部と、
前記第１通信部からの前記信号を受信する第２通信部と、
を備えたことを特徴とする作業用接地線検出システム。
【請求項８】
送電線と接地との間に直列接続される送電線側コンデンサ及び接地側コンデンサを有する電力設備において、前記送電線のための作業が行われる場合、前記送電線と接地との間に接続される作業用接地線であって、
前記送電線への電力の供給が停止されている場合、前記作業用接地線、前記送電線、前記送電線側コンデンサを経由することにより、前記送電線側コンデンサの非送電線側端子と接続される受信機が受信する所定周波数の交流信号を発生する発信機、
を一体に備えたことを特徴とする作業用接地線。
【請求項９】
前記電力設備は、
前記非送電線側端子の電圧を降圧する変圧器、
を有することを特徴とする請求項８に記載の作業用接地線。
【発明の詳細な説明】
【技術分野】
【０００１】
本発明は、作業用接地線検出装置、作業用接地線検出システム、及び作業用接地線に関する。
【背景技術】
【０００２】
変電所には電力を上流側から下流側へと供給する送電線が架設されている。また送電線には、当該送電線の上流と下流とを接続（以下閉状態とする）又は遮断（以下開状態とする）する開閉器が所定位置に複数配設されている。そして、ある区間において、送電線、又は鉄塔の敷設、点検、修理などの工事を行う際には、前記区間（以下工事区間とする）よりも上流側の開閉器と、下流側の開閉器とを開状態として、工事区間の送電線への電力の供給を停止させる。さらに、工事を行う作業員の感電を防止するため、電力の供給が停止された送電線を接地することが規定されている（労働安全衛生規則第３３９条参照）。このとき送電線と接地との間に接続される接地線を作業用接地線と呼ぶ。
【０００３】
なお、作業用接地線の送電線との接続、及び取り外しは、作業員によって手作業で行われている（例えば特許文献１参照）。また、前記開閉器を開状態又は閉状態に切り替える制御は、例えば電力会社の制御所から遠隔操作で行われている。
【０００４】
工事が終了すると、作業員は作業用接地線の取り外しを行い、その旨を例えば携帯電話やトランシーバによって制御所の担当者に連絡する。制御所の担当者は、作業員からの連絡を受けると、開状態としていた前記開閉器を閉状態に切替えるべく開閉器の制御を行う。このことにより、電力の供給が停止されていた工事区間の送電線に再び電力が供給されることとなる。
【特許文献１】特開２０００−３２４６３４号公報
【発明の開示】
【発明が解決しようとする課題】
【０００５】
前述したように、作業者から制御所の担当者への連絡は、例えば携帯電話やトランシーバによって行われていたため、連絡内容が曖昧な場合や、不十分な場合があった。そのため、例えば勘違いや思い込み等の人為的ミスによって、作業用接地線を送電線から取り外していないにもかかわらず、開閉器を閉状態として電力の供給を再開してしまう恐れがあった。工事区間の送電線と接地との間に作業用接地線を接続したまま電力の供給を再開すると、送電線の電圧が急激に変動して、電力の品質が低下することになる。さらに工事区間以外で停電が発生する恐れもある。  
このように、従来、送電線と接地との間に作業用接地線が接続されていることを確実に検出することができないという問題点があった。
【０００６】
本発明はかかる課題に鑑みてなされたものであり、その目的は、送電線と接地との間に作業用接地線が接続されていることを確実に検出することができる作業用接地線検出装置、作業用接地線検出システム、及び作業用接地線を提供することにある。
【課題を解決するための手段】
【０００７】
前記課題を解決するための発明は、送電線への電力の供給が停止されている状態で、前記送電線と接地との間に作業用接地線が接続されているか否かを検出する作業用接地線検出装置であって、電源と、前記送電線と前記電源との間に接続され、前記送電線へ電力が供給されている場合、前記送電線と前記電源とを遮断し、前記送電線への電力の供給が停止されている場合、前記送電線と前記電源とを接続するスイッチと、前記電源と接地との間に接続され、前記送電線と接地との間に前記作業用接地線が接続されている場合、前記送電線と前記電源とが接続されることにより、前記電源、前記スイッチ、前記送電線、前記作業用接地線、接地と回路を形成する継電器と、を備えたことを特徴とする。送電線と接地との間に作業用接地線が接続されている場合、スイッチによって送電線と電源とが接続されると、電源、スイッチ、送電線、作業用接地線、接地、継電器の回路が形成され、当該回路に電流が流れることになる。この電流が作業用接地線の存在を示すことになるので、継電器の状態に基づいて送電線と接地との間に作業用接地線が接続されていることを確実に検出することができる。
【０００８】
また、前記課題を解決するための発明は、送電線と接地との間に直列接続される送電線側コンデンサ及び接地側コンデンサを有する電力設備において、前記送電線への電力の供給が停止されている状態で、前記送電線と接地との間に作業用接地線が接続されているか否かを検出する作業用接地線検出装置であって、前記接地側コンデンサの何れか一方の端子に直列接続され、前記送電線へ電力が供給されている場合、前記送電線と接地との間の電路を接続し、前記送電線への電力の供給が停止されている場合、前記送電線と接地との間の電路を遮断する第１スイッチと、所定の出力周波数を有する電源と、前記送電線側コンデンサの非送電線側端子と前記電源との間に接続され、前記送電線へ電力が供給されている場合、前記非送電線側端子と前記電源とを遮断し、前記送電線への電力の供給が停止されている場合、前記非送電線側端子と前記電源とを接続する第２スイッチと、前記電源と接地との間に接続され、前記送電線と接地との間に前記作業用接地線が接続されている場合、前記非送電線側端子と前記電源とが接続されることにより、前記電源、前記第２スイッチ、前記送電線側コンデンサ、前記送電線、前記作業用接地線、接地と回路を形成する継電器と、を備えたことを特徴とする。送電線と接地との間に作業用接地線が接続されている場合、第２スイッチによって送電線側コンデンサの非送電線側端子と電源とが接続されると、電源、第２スイッチ、送電線側コンデンサ、送電線、作業用接地線、接地、継電器の回路が形成され、当該回路に電流が流れることになる。この電流が作業用接地線の存在を示すことになるので、継電器の状態に基づいて送電線と接地との間に作業用接地線が接続されていることを確実に検出することができる。
【０００９】
また、かかる作業用接地線検出装置において、前記送電線の電圧は交流であり、前記電源の出力周波数は、前記交流電圧の周波数より高い周波数である、こととする。送電線側コンデンサに電源から発生する所定の出力周波数の交流信号を通過させることが容易となり、回路に電流が流れやすくなる。よって送電線と接地との間に作業用接地線が接続されていることを、より確実に検出することができる。
【００１０】
さらに、かかる作業用接地線検出装置において、前記第２スイッチは、前記接地側コンデンサと接地との間に接続される、こととしてもよい。接地側コンデンサと接地との間の電路を遮断することにより、電源、第２スイッチ、送電線側コンデンサ、送電線、作業用接地線、接地、継電器の回路を形成することができる。よって、継電器の状態に基づいて送電線と接地との間に作業用接地線が接続されていることを検出することができる。
【００１１】
さらに、かかる作業用接地線検出装置において、前記第１スイッチは、前記送電線側コンデンサと前記接地側コンデンサとの間に接続される、こととしてもよい。送電線側コンデンサと接地側コンデンサとの間の電路を遮断することにより、電源、第２スイッチ、送電線側コンデンサ、送電線、作業用接地線、接地、継電器の回路を形成することができる。よって、継電器の状態に基づいて送電線と接地との間に作業用接地線が接続されていることを検出することができる。
【００１２】
また、かかる作業用接地線検出装置において、前記電力設備は、前記非送電線側端子の電圧を降圧する変圧器と、前記非送電線側端子と電源とが接続されている状態で、前記電源から前記変圧器への電流の供給を防止するコイルと、を有していることとする。作業用接地線の検出を行う際に、送電線側コンデンサの非送電線側端子の電圧を降圧する変圧器への電流の供給を防止することができるので、送電線と接地との間に作業用接地線が接続されていることを検出することができる。
【００１３】
また、前記課題を解決するための発明は、送電線と接地との間に直列接続される送電線側コンデンサ及び接地側コンデンサを有する電力設備において、前記送電線への電力の供給が停止されている状態で、前記送電線と接地との間に作業用接地線が接続されているか否かを検出する作業用接地線検出装置であって、前記作業用接地線と接続され、所定周波数の交流信号を発生する発信機と、前記送電線側コンデンサの非送電線側端子と接続され、前記送電線への電力の供給が停止され、且つ、前記送電線と接地との間に前記作業用接地線が接続されている場合、前記発信機からの交流信号を前記作業用接地線、前記送電線、前記送電線側コンデンサを経由して受信する受信機と、を備えたことを特徴とする。作業用接地線を送電線と接地との間に接続すると、作業用接地線、送電線、送電線側コンデンサ、受信機、接地の回路が形成される。作業用接地線の発信機で発生した交流信号は、受信機で受信されることになる。よって、受信機での交流信号の受信に基づいて、送電線と接地との間に作業用接地線が接続されていることを確実に検出することができる。
【００１４】
また、かかる作業用接地線検出装置は、前記電力設備が、前記非送電線側端子の電圧を降圧する変圧器、を有しているものに使用できる。
【００１５】
また、かかる作業用接地線検出装置は、前記送電線の上流側と下流側とを接続又は遮断する開閉器の前記下流側に設けられることとする。開閉器によって電力の供給が停止された状態の送電線に電流を流すことによって、作業用接地線が接続されていることを検出することができる。
【００１６】
また、かかる作業用接地線検出装置は、各変電所の前記下流側に設けられることとする。各変電所に作業用接地線検出装置を設けておくことによって、工事を行う場所に応じて、任意の変電所間の送電線に接続された作業用接地線を検出することができる。
【００１７】
また、前記課題を解決するための発明は、送電線への電力の供給が停止されている状態で、前記送電線と接地との間に作業用接地線が接続されているか否かを検出する作業用接地線検出システムであって、電源と、前記送電線と前記電源との間に接続され、前記送電線へ電力が供給されている場合、前記送電線と前記電源とを遮断し、前記送電線への電力の供給が停止されている場合、前記送電線と前記電源とを接続するスイッチと、前記電源と接地との間に接続され、前記送電線と接地との間に前記作業用接地線が接続されている場合、前記送電線と前記電源とが接続されることにより、前記電源、前記スイッチ、前記送電線、前記作業用接地線、接地と回路を形成する継電器と、前記回路を形成する前記継電器に電流が流れた場合、前記送電線と接地との間に前記作業用接地線が接続されていることを示す信号を送信する送信部と、前記送信部からの信号を受信する受信部と、を備えたことを特徴とする。送電線と接地との間に作業用接地線が接続されている場合、スイッチによって送電線と電源とが接続されると、電源、スイッチ、送電線、作業用接地線、接地、継電器の回路が形成され、当該回路に電流が流れることになる。よって、継電器の状態に基づいて、送電線と接地との間に作業用接地線が接続されていることを送信部（例えば電力設備）から離れた受信部（例えば制御所）で検出することができる。
【００１８】
また、前記課題を解決するための発明は、送電線と接地との間に直列接続される送電線側コンデンサ及び接地側コンデンサを有する電力設備において、前記送電線への電力の供給が停止されている状態で、前記送電線と接地との間に作業用接地線が接続されているか否かを検出する作業用接地線検出システムであって、前記接地側コンデンサの何れか一方の端子に直列接続され、前記送電線へ電力が供給されている場合、前記送電線と接地との間の電路を遮断する第１スイッチと、所定の出力周波数を有する電源と、前記送電線側コンデンサの非送電線側端子と前記電源との間に接続され、前記送電線へ電力が供給されている場合、前記非送電線側端子と前記電源とを遮断し、前記送電線への電力の供給が停止されている場合、前記非送電線側端子と前記電源とを接続する第２スイッチと、前記電源と接地との間に接続され、前記送電線と接地との間に前記作業用接地線が接続されている場合、前記非送電線側端子と前記電源とが接続されることにより、前記電源、前記第２スイッチ、前記送電線側コンデンサ、前記送電線、前記作業用接地線、接地と回路を形成する継電器と、前記回路を形成する前記継電器に電流が流れた場合、前記送電線と接地との間に前記作業用接地線が接続されていることを示す信号を送信する送信部と、前記送信部からの信号を受信する受信部と、を備えたことを特徴とする。送電線と接地との間に作業用接地線が接続されている場合、第２スイッチによって送電線側コンデンサの非送電線側端子と電源とが接続されると、電源、第２スイッチ、送電線側コンデンサ、送電線、作業用接地線、接地、継電器の回路が形成され、当該回路に電流が流れることになる。よって、継電器の状態に基づいて、送電線と接地との間に作業用接地線が接続されていることを、送信部（例えば電力設備）から離れた受信部（例えば制御所）で検出することができる。
【００１９】
また、前記課題を解決するための発明は、送電線と接地との間に直列接続される送電線側コンデンサ及び接地側コンデンサを有する電力設備において、前記送電線への電力の供給が停止されている状態で、前記送電線と接地との間に作業用接地線が接続されているか否かを検出する作業用接地線検出システムであって、前記作業用接地線と接続され、所定周波数の交流信号を発生する発信機と、前記送電線側コンデンサの非送電線側端子と接続され、前記送電線への電力の供給が停止され、且つ、前記送電線と接地との間に前記作業用接地線が接続されている場合、前記発信機からの交流信号を前記作業用接地線、前記送電線、前記送電線側コンデンサを経由して受信する受信機と、前記受信機が前記交流信号を受信した場合、前記送電線と接地との間に前記作業用接地線が接続されていることを示す信号を送信する第１通信部と、前記第１通信部からの前記信号を受信する第２通信部と、を備えたことを特徴とする。作業用接地線を送電線と接地との間に接続すると、作業用接地線、送電線、送電線側コンデンサ、受信機、接地の回路が形成される。発信機で発生する交流信号は、受信機で受信される。よって、受信機が交流信号を受信することに基づいて、送電線と接地との間に作業用接地線が接続されていることを第１通信部（例えば電力設備）から離れた第２通信部（例えば制御所）で検出することができる。
【００２０】
また、前記課題を解決するための発明は、送電線と接地との間に直列接続される送電線側コンデンサ及び接地側コンデンサを有する電力設備において、前記送電線のための作業が行われる場合、前記送電線と接地との間に接続される作業用接地線であって、前記送電線への電力の供給が停止されている場合、前記作業用接地線、前記送電線、前記送電線側コンデンサを経由することにより、前記送電線側コンデンサの非送電線側端子と接続される受信機が受信する所定周波数の交流信号を発生する発信機、を一体に備えたことを特徴とする。作業用接地線に発信機を一体に備えておくことによって、作業用接地線を送電線と接地との間に接続すると、作業用接地線、送電線、送電線側コンデンサを経由して、受信機へと交流信号を送信することができる。
【００２１】
また、かかる作業用接地線は、前記電力設備が、前記非送電線側端子の電圧を降圧する変圧器、を有しているものに使用できる。
【発明の効果】
【００２２】
本発明によれば、送電線と接地との間に作業用接地線が接続されていることを確実に検出することができる。
【発明を実施するための最良の形態】
【００２３】
本明細書及び添付図面の記載により、少なくとも以下の事項が明らかとなる。
【００２４】
＝＝＝システム構成＝＝＝
図３は本発明の作業用接地線検出装置が適用されるシステムの一例を示す図である。図３に示すシステムは、送電系統１と、送電系統１の送電を制御する電力会社の制御所１００とによって構成されている。図３では、送電系統１が送電線４０、開閉器２５２、３５２、Ａ変電所、Ｂ変電所、遠方監視制御装置の子局（以下、遠制子局と略称する）２５０、３５０によって構成される場合を示している。なお、説明の便宜上、１本の送電線４０上に、変電所Ａと変電所Ｂが介在しているものとする。また、図３において、紙面左側を上流側とし、紙面右側を下流側とする。
【００２５】
制御所１００とＡ変電所、Ｂ変電所とは、通信線４１０、通信網４００を介して通信可能に接続されている。また、制御所１００と開閉器２５２とは、通信線４２０、通信網４００、遠制子局２５０介して通信可能に接続され、制御所１００と開閉器３５２とは、通信線４２０、通信網４００、遠制子局３５０介して通信可能に接続されている。なお、本実施形態では、Ａ変電所とＢ変電所との間の区間（以下、工事区間とする）で工事を行うこととし、後述する作業用接地線１０は、この工事区間の送電線４０に接続されることとする。
【００２６】
≪制御所≫
制御所１００は、監視用端末１０２、サーバ１０４、データベース１０５、遠方監視制御装置の親局（以下、遠制親局と略称する）１０６、通信部１０８（受信部、第２通信部）が、ＬＡＮ等の通信線１１０により相互に通信可能に接続されて構成されている。
【００２７】
サーバ１０４は、遠制親局１０６や通信部１０８等を統括管理して制御する機能を有するものである。  
データベース１０５には、各変電所の電力設備であるコンデンサ型計器用変圧器（Ｃｏｕｐｌｉｎｇ  Ｃａｐａｃｉｔｏｒ  Ｐｏｔｅｎｔｉａｌ  Ｄｅｖｉｃｅ：以下ＰＤと略称する）に割り当てられた後述する識別コードが、各変電所と対応して記憶されている。
【００２８】
監視用端末１０２は、例えば電力会社の運転員がサーバ１０４にデータを入力したり、サーバ１０４から出力されたデータを表示したりするための端末（例えばパーソナルコンピュータ）である。  
遠制親局１０６は、サーバ１０４の指示によって、開閉器２５２、３５２の開閉の状態を指定する制御信号を遠制子局２５０、３５０にそれぞれ送信することにより、開閉器２５２、３５２の開閉の状態を切り替えるものである。
【００２９】
通信部１０８は、Ａ変電所のＰＤ２０２、及びＢ変電所のＰＤ３０２から送信された信号を、通信線４１０、通信網４００を介して受信する機能を有している。
【００３０】
≪送電系統≫
図１〜図３を参照しつつ本発明の作業用接地線検出装置が適用された送電系統１の構成の一例について説明する。図１、図２は本発明の実施形態に係る作業用接地線検出装置が適用された送電系統１の構成の一例を示す図である。なお、図１は、送電線４０に電力が供給されていない（作業用接地線１０が接続された）場合の一例を示し、図２は、送電線４０に電力が供給されている（作業用接地線１０が接続されていない）場合の一例を示している。
【００３１】
送電線４０は、発電所（不図示）で発電された電力をＡ変電所、及びＢ変電所に供給する電線である。  
開閉器２５２は、Ａ変電所の上流側の送電線４０における当該開閉器２５２の上流と下流を接続、又は、遮断するものである。  
遠制子局２５０は、開閉器２５２の近傍に設けられ、制御信号に基づいて開閉器２５２の開閉の状態を切り替えるものである。  
開閉器３５２は、Ｂ変電所の下流側の送電線４０における当該開閉器３５２の上流と下流を接続、又は、遮断するものである。  
遠制子局３５０は、開閉器３５２の近傍に設けられ、制御信号に基づいて開閉器３５２の開閉の状態を切り替えるものである。
【００３２】
Ａ変電所、及びＢ変電所は、発電所（不図示）から送電線４０によって送られてきた電圧を所定の電圧に降圧して送り出す施設である。また、送電線４０の電圧をモニタするための電力設備として、Ａ変電所にはＰＤ２０２が備えられ、Ｂ変電所にはＰＤ３０２が備えられている。なお、ＰＤ２０２、３０２には、本発明の作業用接地線検出装置が備えられている。
【００３３】
＝＝＝ＰＤの構成＝＝＝
図１において、Ａ変電所のＰＤ２０２は、コンデンサ２０４（送電線側コンデンサ）、コンデンサ２０６（接地側コンデンサ）、コイル２０８、２２２、変圧器２１０、計器２１２、スイッチ２１４（スイッチ、第２スイッチ）、スイッチ２２０（第１スイッチ）、高周波電源２１６（電源）、リレー部２１８を有している。また、Ｂ変電所のＰＤ３０２は、コンデンサ３０４、３０６、コイル３０８、３２２、変圧器３１０、計器３１２、スイッチ３１４、３２０、高周波電源３１６、リレー部３１８を有している。このＡ変電所のＰＤ２０２とＢ変電所のＰＤ３０２は同一構成とすることができる。よって、以下の説明ではＰＤ２０２の構成のみについて説明し、ＰＤ３０２の説明を省略する。なお、ＰＤ２０２において、コイル２０８、２２２、スイッチ２１４、２２０、高周波電源２１６、リレー部２１８は、作業用接地線検出装置を構成している。
【００３４】
コンデンサ２０４とコンデンサ２０６は送電線４０とスイッチ２２０との間に直列接続されている。以下、コンデンサ２０４の送電線側端子と送電線４０との接続点をＸ点、コンデンサ２０４の非送電線側端子とコンデンサ２０６の非接地側端子との接続点をＹ点とする。
【００３５】
スイッチ２２０は、オンすることで送電線４０と接地との電路を接続し、オフすることで送電線４０と接地との電路を遮断するものである。スイッチ２２０がオンの場合、コンデンサ２０４、２０６によってＸ点の電圧（例えば１１万ボルト）が分圧され、Ｙ点にはＸ点よりも低い電圧（例えば１万ボルト）が現れる。また、スイッチ２２０がオフの場合、コンデンサ２０６と接地との電路が遮断されることにより、送電線４０と接地との電路が遮断される。なお、本実施形態ではスイッチ２２０をコンデンサ２０６と接地との間に設けることとしたが、スイッチ２２０をＹ点とコンデンサ２０６の非接地側端子との間に設けるようにしてもよい。この場合にも、Ｙ点とコンデンサ２０６の非接地側端子との間を接続又は遮断することにより、送電線４０と接地との電路を接続又は遮断することができる。
【００３６】
コイル２０８は、後述する高周波電源２１６からの電流を遮断するためのコイルである。  
変圧器２１０の１次側コイルの一端は、コイル２０８を介してＹ点と接続され、他端は接地される。また、変圧器２１０の２次側コイルには、計器２１２が接続されている。  
計器２１２は、例えば変圧器２１０の２次側コイルに発生する電圧をモニタするものであり、所定のインピーダンスを有している。  
コイル２２２は、スイッチ２２０と並列に設けられている。なお、コイル２２２は、後述する高周波電源２１６からの電流を遮断するためのコイルである。
【００３７】
また、Ｙ点と接地との間には、スイッチ２１４、高周波電源２１６、リレー部２１８が直列に接続されている。  
スイッチ２１４は、オンすることでＹ点と高周波電源２１６とを接続し、オフすることでＹ点と高周波電源２１６とを遮断するものである。なお、スイッチ２１４とスイッチ２２０は相補的にオン／オフするようになっている。例えば送電線４０に電力が供給されている場合には、スイッチ２２０がオン、スイッチ２１４がオフとなり（図２参照）、送電線４０への電力の供給が停止している場合には、スイッチ２１４がオン、スイッチ２２０がオフとなる（図１参照）。このスイッチ２１４、２２０のオン／オフの制御は、例えば作業員によって手動で切り替えられるようにしてもよいし、例えば開閉器２５２の開閉の状態を切り替える制御信号を受信するようにして、この制御信号によって切り替えられるようにしてもよい。
【００３８】
高周波電源２１６は、送電線の交流電圧の商用電源周波数（例えば５０Ｈｚ又は６０Ｈｚ）よりも高い所定の出力周波数（例えば数ＫＨｚ、又は数ＧＨｚ）を有する電源である。この高周波電源２１６の出力周波数によって、容易にコンデンサ２０４を通して送電線４０に電流を流すことができ、またコイル２０８によって変圧器２１０への電流の供給を防止することができる。
【００３９】
リレー部２１８は、後述する継電器２３０を有しており、高周波電源２１６と接地との間に接続される。そして、電力の供給が停止されている送電線４０と接地との間に作業用接地線１０が接続された場合に、スイッチ２１４がオンとなることによって、高周波電源２１６、スイッチ２１４、コンデンサ２０４、送電線４０、作業用接地線１０、接地、継電器２３０の回路が形成される。なお、リレー部２１８は、継電器２３０の状態を示す出力信号を、通信回線４１０、通信網４００を介して制御所１００に送信する。
【００４０】
＝＝＝リレー部＝＝＝
図８は、リレー部２１８の構成の一例を示すブロック図である。リレー部２１８は継電器２３０、検出部２３４、フラグ設定部２３６、記憶部２３７、出力部２３８を有している。また、継電器２３０は、電磁コイル２４０、スイッチ２３２を有している。
【００４１】
電磁コイル２４０は、高周波電源２１６と接地との間に設けられている。  
スイッチ２３２は、電磁コイル２４０による励磁の有無に応じて、オン／オフのスイッチングを行うものであり、検出部２３４と接地間に設けられている。  
検出部２３４は、スイッチ２３２における接点Ｐの電圧を検出する。なお、この接点Ｐの電圧はスイッチ２３２がオンの状態では接地レベルとなり、スイッチ２３２がオフの状態では不定となる。  
記憶部２３７は、ＰＤ２０２に予め割り当てられた識別コードを記憶するものである。
【００４２】
フラグ設定部２３６は、検出部２３４の検出結果が接地レベルであることを示す場合には、フラグを立て（例えば「１」に設定する）、それ以外の場合には、フラグを立てない（例えば「０」に設定する）。  
出力部２３８（送信部）は、検出部２３４の検出結果を通信に適した出力信号に変換して通信回線４１０に出力する。この出力信号には、フラグ設定部２３６の出力、及び記憶部２３７に記憶された識別コードが含まれている。  
また、図１において作業用接地線１０は、送電線４０のための作業（例えば工事）が行われる場合、送電線４０と接地との間に接続されるものである。以下、作業用接地線１０について説明する。
【００４３】
＝＝＝作業用接地線＝＝＝
図４〜図７を参照しつつ作業用接地線１０の構成、及び送電線４０との接続、及び取り外しの動作について説明する。図４は作業用接地線１０の構成の一例を示す図である。図５は作業用接地線１０の一部を示す断面図であり、図６及び図７は作業用接地線１０の一部を示す斜視図である。
【００４４】
作業用接地線１０は、主として頭部金物１２、アーム１４、操作棒１８、ナット部材２５、螺子棒２７、溝部材２８、案内ピン２９、リード線３０、接続端子２２、３２、接地棒５０とによって構成されている。
【００４５】
頭部金物１２は、送電線４０とリード線３０とを電気的に接続するためのものであり、導電性の金属で形成されている。また、頭部金物１２の紙面左側にはアーム１４が設けられ、頭部金物１２の紙面右側には雄螺子２３が設けられている。
【００４６】
アーム１４は、頭部金物１２における支軸１５を中心としてａ方向、ｂ方向に回動可能に設けられている。また、アーム１４と頭部金物１２との間には送電線４０を把持するための把持部２０が形成されている。さらに、アーム１４には、支軸１５に対する反対側に、例えば略円形の突片１６が設けられている。
【００４７】
操作棒１８は、図４に示すｃ方向又はｄ方向に回転させることにより、アーム１４をａ方向、ｂ方向に回動させるものであり、絶縁物で形成されている。  
螺子棒２７は、操作棒１８と一体に形成された雄螺子であり、頭部金物１２内に設けられている。
【００４８】
ナット部材２５は、図５に示すように、内周部分が雌螺子で形成されたものであり、当該ナット部材２５の雌螺子は、螺子棒２７の雄螺子と螺合されている。また、ナット部材２５の上部（紙面上側）には係合孔２６が設けられており、係合孔２６においてアーム１４の突片１６が挟持されている。  
溝部材２８は、螺子棒２７の下部（紙面下側）の外周に沿って設けられており、後述する案内ピン２９と係合するための溝が形成されている。
【００４９】
案内ピン２９は、操作棒１８及び螺子棒２７をｃ方向、ｄ方向に回転させる場合に、螺子棒２７の図５に示すｅ方向、ｆ方向への移動を禁止することにより、ナット部材２５をｅ方向、ｆ方向に移動させるためのものである。また、案内ピン２９によって、溝部材２８及び螺子棒２７は、操作棒１８のｃ方向、ｄ方向の回転に伴って、軸心（図５の一点鎖線）を中心として回転することになる。
【００５０】
接地棒５０は、作業用接地線１０を接地するための導電性の金属（例えば銅）の棒であり、下部が地面に打ち込まれる。また、接地棒５０の例えば非接地側には雄螺子５０ａが設けられている。
【００５１】
リード線３０は、導線（例えば銅線）が絶縁物で被覆されたものである。また、リード線３０の一端は被覆が剥がされるとともに、図６に示すように例えば開口を有する円盤型の接続端子２２と接続されている。そして、接続端子２２の開口を頭部金物１２の雄螺子２３に通した状態で、内周面に雌螺子が形成されたナット２４と雄螺子２３とを螺合させる。このことによりリード線３０と頭部金物１２は電気的に接続される。さらに、図７に示すように、リード線３０の他端は被覆が剥がされるとともに、例えば開口を有する円盤型の接続端子３２と接続されている。そして、接続端子３２の開口を接地棒５０の雄螺子５０ａに通した状態で、内周面に雌螺子が形成されたナット３４と雄螺子５０ａとを螺合させる。このことによりリード線３０と接地棒５０は電気的に接続される。
【００５２】
なお、本実施形態ではリード線３０の接地側に円盤型の接続端子３２を設けることとしたが、クランプ型の接続端子を用いて接地棒５０と接続するようにしてもよい。さらに接地棒５０を用いずに、クランプ型の接続端子を、例えば近くの鉄塔などに接続するようにしてもよい。また、頭部金物１２、リード線３０、接地棒５０を一体としてもよい。
【００５３】
次に、作業用接地線１０を送電線４０と接続するときの動作について説明する。なお、以下の説明において、アーム１４と頭部金物１２との向かい合う面のうち送電線４０を挟持する部分の間隔（図５のｗ）の最小値は、送電線４０の直径よりも小さく、最大値は送電線４０の直径よりも大きく設定されていることとする。
【００５４】
操作棒１８を一方向（例えばｄ方向）に回転させると、その回転に伴い頭部金物１２内の螺子棒２７もｄ方向に回転する。螺子棒２７のｄ方向の回転に伴って、螺子棒２７と螺合されたナット部材２５の位置が図５のｆ方向に移動する。突片１６はナット部材２５の係合孔２６に挟持されているので、ナット部材２５がｆ方向に移動することに伴って、アーム１４及び突片１６は、支軸１５を中心としてａ方向に回動する。また、アーム１４がａ方向に回動することによって把持部２０が広くなる。この状態において、送電線４０を把持部２０で取り囲む。
【００５５】
そして、操作棒１８を他方向（例えばｃ方向）に回転させると、その回転に伴い頭部金物１２内の螺子棒２７もｃ方向に回転する。螺子棒２７のｃ方向の回転に伴って、螺子棒２７と螺合されたナット部材２５の位置が図５のｅ方向に移動する。突片１６はナット部材２５の係合孔２６に挟持されているので、ナット部材２５がｅ方向に移動することに伴って、アーム１４及び突片１６は、支軸１５を中心としてｂ方向に回動する。図５のｗの最小値は、送電線４０の直径よりも小さいので、アーム１４をｂ方向に回動させることによって、送電線４０は、アーム１４と頭部金物１２との間に、圧力を受けた状態で固定される。
【００５６】
このようにして、作業用接地線１０を送電線４０に接続することができる。なお、作業用接地線１０を送電線４０から取り外す場合には、操作棒１８をｄ方向に回転させることによってアーム１４をａ方向に回動させる。そして、把持部２０を広げた状態で送電線４０から作業用接地線１０を取り外せばよい。
【００５７】
＝＝＝作業用接地線の検出の動作＝＝＝
以下、図１〜図８を参照しつつ、本発明の作業用接地線検出装置による作業用接地線の検出の動作について説明する。なお、ＰＤ２０２とＰＤ３０２とは同様の動作を行う。よって、以下の説明では、便宜上ＰＤ２０２のみについて説明することにする。
【００５８】
≪送電線４０に電力が供給されている場合≫
Ａ変電所、Ｂ変電所間で送電線４０のための作業（例えば工事）が行われない場合には、開閉器２５２、３５２は、制御所１００からの制御信号に基づいてそれぞれ閉状態に制御され、開閉器２５２、３５２間の送電線４０には電力が供給されている。
【００５９】
このとき、送電線４０に電力が供給されているので、図２に示すようにＰＤ２０２において、スイッチ２１４はオフ、スイッチ２２０はオンとなっている。よって、送電線４０のＸ点における電圧（例えば１１万ボルト）は、直列接続されたコンデンサ２０４、２０６によって分圧され、Ｙ点にはＸ点の電圧より低い電圧（例えば１ボルト）が現れる。さらに変圧器２１０によって１次側（Ｙ点側）の電圧が、２次側で例えば１１０ボルトに降圧される。そして、この２次側のコイルに発生する電圧が計器２１２でモニタされることとなる。
【００６０】
なお、この場合、スイッチ２１４がオフとなっているので、図８のリレー部２１８の電磁コイル２４０には高周波電源２１６の出力周波数に基づく電流が流れないことになる。よって、図８においてスイッチ２３２はオフとなり、検出部２３４はスイッチ２３２の接点Ｐの電圧が接地レベルではないことを検出する。そして、この検出部２３４の検出結果に基づいて出力部２３８は、フラグが例えば「０」の出力信号を、記憶部２３７に記憶された識別コードとともに通信線４１０に送信する。
【００６１】
≪送電線４０への電力の供給が停止される場合≫
Ａ変電所とＢ変電所間で、送電線４０のための作業（例えば工事）を行う場合、まず、図３の制御所１００のサーバ１０４の指示に基づいて遠制親局１０６から遠制子局２５０、３５０に開閉器２５２、３５２をそれぞれ開状態とするための制御信号が送信される。遠制子局２５０、３５０は、この制御信号を受信すると開閉器２５２、３５２をそれぞれ閉状態から開状態に切り替える。このことにより、開閉器２５２、３５２間の送電線４０への電力の供給が停止される。また、図１に示すように、送電線４０と接地との間に作業用接地線１０が接続される。作業用接地線１０を送電線４０と接地との間に接続することによって、コンデンサ２０４、２０６およびコンデンサ３０４、３０６の残留電荷は放電される。
【００６２】
また、送電線４０への電力の供給が停止される場合、例えば開閉器２５２を開状態とする制御信号によって、スイッチ２１４はオン、スイッチ２１６はオフとなる。すると、高周波電源２１６の出力周波数に基づいた電流が、高周波電源２１６→スイッチ２１４→コンデンサ２０４→送電線４０→作業用接地線１０→接地→リレー部２１８→高周波電源２１６の径路で流れる。なお、このとき、コイル２０８を設けていることによって、高周波電源２１６の出力周波数に基づいた電流が、変圧器２１０へと流れることを防止することができる。
【００６３】
よって、図８のリレー部２１８において、継電器２３０の電磁コイル２４０に、接地を経由した電流が流れることになり、その励磁によってスイッチ２３２がオンする。検出部２３４は、スイッチ２３２の接点Ｐが接地レベルであることを検出し、フラグ設定部２３６は検出部２３４の検出結果に基づいてフラグを立てる（例えば「１」に設定する）。
【００６４】
なお、作業用接地線１０が送電線４０から取り外された場合には、継電器２３０の電磁コイル２４０に電流が流れなくなり、スイッチ２３２がオフとなる。検出部２３４は、スイッチ２３２の接点Ｐが接地レベルでないことを検出し、フラグ設定部２３６は検出部２３４の検出結果に基づいてフラグを例えば「０」に設定する。
【００６５】
出力部２３８は、フラグ設定部２３６の出力及び記憶部２３７に記憶された識別コードを出力信号として通信回線４１０に出力する。  
ＰＤ２０２からの出力信号は、通信回線４１０、通信網４００を介して、制御所１００の通信部１０８で受信される。サーバ１０４は、通信部１０８が受信した情報を、データベース１０５を参照して、監視用端末１０２の画面上に表示させる。
【００６６】
例えば、ＰＤ２０２からの出力信号とＰＤ３０２からの出力信号のフラグが「１」であった場合、Ａ変電所とＢ変電所との間の送電線４０に作業用接地線１０が接続されていることになる。
【００６７】
図９は制御所１００の監視用端末１０２に表示される画面の一例を説明するための図である。ＰＤ２０２からの出力信号とＰＤ３０２からの出力信号のフラグが「１」の場合、Ａ変電所とＢ変電所との間の送電線４０に作業用接地線１０が接続されていることを示す印（図９の場合黒丸）を表示するようにする。また、ＰＤ２０２からの信号とＰＤ３０２からの出力信号のフラグが「０」になると、黒丸の表示が消えるようにする。
【００６８】
制御所１００の担当者は、監視用端末１０２に表示される黒丸が消えるのを確認してから復旧作業（開閉器２５２、３５２を開状態から閉状態に切り替える）を行うようにする。
【００６９】
このように、出力部２３８からの出力信号が通信部１０８で受信されることにより、送電線４０に作業用接地線１０が接続されていることを、Ａ変電所のＰＤ２０２から離れた制御所１００で検出することが可能となる。よって、作業用接地線１０を送電線４０から取り外していない状態で送電線４０に電力を供給することを確実に防止できる。
【００７０】
なお、例えば図９における各変電所の電力施設（ＰＤ）に本発明の作業用接地線検出装置を設けることによって、任意の変電所間（例えばＣ変電所とＤ変電所との間）で、送電線（例えば送電線４１）に作業用接地線１０が接続されていることを検出することができる。
【００７１】
また、本実施形態では、作業用接地線検出装置を、例えばＡ変電所において電力設備であるＰＤ２０２に設けることとしたが、ＰＤ２０２以外の場所に設けるようにしてもよい。例えば、Ａ変電所において、スイッチ２１４、高周波電源２１６、リレー部２１８を、コンデンサ２０４を介さずに、送電線４０と接地との間に直列接続するようにしてもよい。そして、送電線４０と接地との間に作業用接地線１０が接続された状態において、スイッチ２１４がオンすると、高周波電源２１６、スイッチ２１４、送電線４０、作業用接地線１０、接地、リレー部２１８の回路が形成されるようにしてもよい。この場合も同様に、リレー部２１８の継電器２３０の状態に基づいて、送電線４０と接地との間に作業用接地線１０が接続されていることを確実に検出することができる。
【００７２】
＝＝＝その他の実施形態＝＝＝
図１０は本発明の他の実施形態に係る作業用接地線検出装置が適用された送電系統１の一例を示す図である。図１０において、図１と同一構成の部分には同一符号を付し説明を省略する。また、図１０において送電線４０への電力の供給が停止されていることとする。
【００７３】
≪作業用接地線≫
図１１は作業用接地線６０の一部を示す外観図である。なお、図１１において図４と同一構成の部分には同一符号を付し説明を省略する。  
作業用接地線６０は、発信機６２を備えている。  
発信機６２は、所定周波数の交流信号を発生するものである。また、発信機６２は、図１１に示すように作業用接地線６０の例えば頭部金物１２に一体に備えられており、頭部金物１２を介してリード線３０および送電線４０に交流信号を送信する。
【００７４】
図１２は発信機６２の構成の一例を示すブロック図である。発信機６２は電源６４、高周波発生部６６、送信部６８を有している。  
電源６４は、例えば乾電池又は太陽電池の電源である。  
高周波発生部６６は、電源６４から電力が供給されて動作し、送電線４０の交流電圧の商用電源周波数（例えば５０Ｈｚ又は６０Ｈｚ）よりも高い所定周波数の交流信号を発生する。  
送信部６８は、高周波発生部６６で発生した交流信号を、頭部金物１２を介してリード線３０および送電線４０に送信する。
【００７５】
≪ＰＤ≫
図１０に示すように、Ａ変電所にはＰＤ６０２が設けられ、Ｂ変電所にはＰＤ７０２が設けられている。またＰＤ６０２は変圧器２６０、受信機２７０を有し、ＰＤ７０２は変圧器３６０、受信機３７０を有している。なお、ＰＤ６０２とＰＤ７０２は同一構成とすることができる。よって、以下ＰＤ６０２について説明し、ＰＤ７０２の説明を省略する。
【００７６】
変圧器２６０は、送電線４０に電力が供給されている場合に、１次側のＹ点（例えば１万ボルト）の電圧を、２次側で例えば１１０ボルトに降圧するものである。
【００７７】
受信機２７０は、Ｙ点と接地との間に接続されている。作業用接地線６０が、送電線４０と接地との間に接続されると、作業用接地線６０、送電線４０、コンデンサ２０４、受信機２７０、接地の回路が形成されることになる。よって、作業用接地線６０、送電線４０、コンデンサ２０４、受信機２７０、接地の径路の電流が流れ、受信機２７０は、発信機６２で発生した交流信号を、作業用接地線６０、送電線４０、コンデンサ２０４を経由して受信する。そして、受信機２７０は、交流信号の受信に基づいて、作業用接地線６０が送電線４０に接続されているか否かを示す出力信号を図１の通信線４１０、通信網４００を介して制御所１００の通信部１０８に送信する。
【００７８】
図１３は受信機２７０の構成の一例を示すブロック図である。図１３に示す受信機２７０は、受信部２４２、検出部２４４、フラグ設定部２４６、記憶部２４７、出力部２４８（第１通信部）を有している。  
受信部２４２は発信機６２で発生した交流信号を作業用接地線６０、送電線４０、コンデンサ２０４を経由して受信するものである。  
検出部２４４は、受信部２４２が交流信号を受信したか否かに基づいて、例えば異なる電圧レベルを発生する。  
記憶部２４７は、ＰＤ６０２に割り当てられた識別コードを記憶するものである。
【００７９】
フラグ設定部２４６は、受信部２４２が交流信号を受信していないことを示す検出部２４４の検出結果の場合にはフラグを立てず（例えば「０」に設定する）、受信部２４２が交流信号を受信したことを示す検出部２４４の検出結果の場合にはフラグを立てる（例えば「１」に設定する）。  
出力部２４８は、フラグ設定部２４６の出力と記憶部２４７に記憶された識別コードとを出力信号として通信線４１０に送信する。
【００８０】
なお、発信機６２と、ＰＤ２０２の受信機２７０とは、作業用接地線検出装置を構成している。
【００８１】
次に、作業用接地線検出装置の動作について説明する。まず送電線４０に電力が供給されている場合には、作業用接地線６０が送電線４０と接地との間に接続されないので、受信機２７０の受信部２４２は交流信号を受信しない。受信機２７０の検出部２４４は、受信部２４２が交流信号を受信していないことを検出し、フラグ設定部２４６は検出部２４４の検出結果に基づきフラグを「０」に設定する。出力部２４８は、フラグ設定部２４６の出力と記憶部２４７に記憶された識別コードとを出力信号として通信線４１０に送信する。
【００８２】
送電線４０のための作業（例えば工事）が行われる場合、開閉器２５２、３５２が開状態に制御され、この間の送電線４０への電力の供給が停止される。また、送電線４０と接地との間に発信機６２を一体に備えた作業用接地線６０が接続される。このことにより、作業用接地線６０、送電線４０、コンデンサ２０４、受信機２７０、接地の回路が形成される。
【００８３】
発信機６２で発生する交流信号は、作業用接地線６０の頭部金物１２を介してリード線３０および送電線４０へと送信される。  
この交流信号は、送電線４０、コンデンサ２０４を経由して受信機２７０の受信部２４２で受信される。受信機２７０の検出部２４４は、受信部２４２が交流信号を受信したことを検出し、フラグ設定部２４６は検出部２４４の検出結果に基づきフラグを「１」に設定する。出力部２４８は、フラグ設定部２４６の出力と、記憶部２４７に記憶された識別コードとを出力信号として通信線４１０に出力する。  
ＰＤ２０２からの出力信号を受信することによる制御所１００での動作は前述した実施形態と同じである。
【００８４】
このように、発信機６２を作業用接地線６０に一体に備えることにより、作業用接地線６０を送電線４０と接地との間に接続した場合に、発信機６２で発生した交流信号を作業用接地線６０、送電線４０、コンデンサ２０４を経由して受信機２７０で受信することができる。そして受信機２７０が交流信号を受信したか否かに基づいて、送電線４０に作業用接地線６０が接続されていることを確実に検出することができる。
【００８５】
また、受信機２７０を変圧器２６０の高圧側のＹ点に接続することにより、発信機６２で発生した交流信号を作業用接地線６０、送電線４０、コンデンサ２０４を経由して受信することができる。
【００８６】
以上説明したように、本発明の作業用接地線検出装置は、送電線と接地との間に作業用接地線が接続されていることを確実に検出することができる。
【００８７】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【図面の簡単な説明】
【００８８】
【図１】本発明の実施形態に係る作業用接地線検出装置が適用された送電系統を説明するための図である。
【図２】送電線に電力が供給されている（作業用接地線が接続されていない）場合の送電系統を説明するための図である。
【図３】本発明の作業用接地線検出装置が適用されたシステムを示す図である。
【図４】作業用接地線の構成を示す図である。
【図５】作業用接地線の一部を示す断面図である。
【図６】作業用接地線の一部を示す斜視図である。
【図７】作業用接地線の一部を示す斜視図である。
【図８】継電器の構成を示すブロック図である。
【図９】制御所の監視用端末に表示される画面の一例を説明するための図である。
【図１０】本発明の他の実施形態に係る作業用接地線検出装置が適用された送電系統を説明するための図である。
【図１１】本発明の他の実施形態に係る作業用接地線検出装置が適用された作業用接地線の外観図である。
【図１２】発信機の構成の一例を示すブロック図である。
【図１３】受信機の構成の一例を示すブロック図である。
【符号の説明】
【００８９】
１０、６０  作業用接地線              １２  頭部金物
１４  アーム                          １５  支軸
１６  突片                            １８  操作棒
２０  把持部                          ２２、３２  接続端子
２３  雄螺子                          ２４、３４  ナット
２５  ナット部材                      ２６  係合孔
２７  螺子棒                          ２８  溝部材
２９  案内ピン                        ３０  リード線
４０  送電線                          ５０  接地棒
６２  発信機                          ６４  電源
６６  高周波発生部                    ６８  送信部
１００  制御所                        １０２  監視用端末
１０４  サーバ                        １０６  遠制親局
１０８  通信部                        ２１２、３１２  計器
２０２、３０２、６０２、７０２  ＰＤ
２０４、２０６、３０４、３０６  コンデンサ
２０８、２２２、３０８、３２２  コイル
２１０、２６０、３１０、３６０  変圧器
２１４、２２０、２３２、３１４、３２０  スイッチ
２１６、３１６  高周波電源            ２１８、３１８  リレー部
２３０  継電器                        ２３４、２４４  検出部
２３６、２４６  フラグ設定部          ２３７、２４７  記憶部
２３８、２４８  出力部                ２４０  電磁コイル
２４２  受信部                        ２５０、３５０  遠制子局
２５２、３５２  開閉器                ２７０  受信機
４００  通信網                        ４１０、４２０  通信線
【図１】
2008283765.tif 000003
【図２】
2008283765.tif 000004
【図３】
2008283765.tif 000005
【図４】
2008283765.tif 000006
【図５】
2008283765.tif 000007
【図６】
2008283765.tif 000008
【図７】
2008283765.tif 000009
【図８】
2008283765.tif 000010
【図９】
2008283765.tif 000011
【図１０】
2008283765.tif 000012
【図１１】
2008283765.tif 000013
【図１２】
2008283765.tif 000014
【図１３】
2008283765.tif 000015